(57)【要約】      （修正有）【課題】捜査又は検問或いはデータ書き込み等の作業を行い易くする照明機能を具えた手袋の提供。【解決手段】防水通気材質の手袋の人指し指或いは手の甲にポケットが増設され、ポケット内に照明装置が取り付けられ、使用者が使用する時に光線が暗いところで照明を提供する。該照明装置の前端に凸レンズが採用されて光線を拡大する。手袋の各指部分に反射ストリップが設けられ、掌と各指部分に止滑部が設けられ、物品の脱落を防止し、手腕部に弾性粘着帯が設けられて緊締後に雨水の進入を防止する。【選択図】図１
0003114125.tif 000002
【実用新案登録請求の範囲】
【請求項１】
掌部、手の甲部、手腕部及び複数の指部を具えた照明機能を具えた手袋において、少なくとも一つの指部にポケットが設置され、該ポケット内に照明装置が着脱自在に取り付けられたことを特徴とする、照明機能を具えた手袋。
【請求項２】
請求項１記載の照明機能を具えた手袋において、ポケットが透明ポケットとされたことを特徴とする、照明機能を具えた手袋。
【請求項３】
請求項１記載の照明機能を具えた手袋において、照明装置が懐中電灯とされたことを特徴とする、照明機能を具えた手袋。
【請求項４】
請求項３記載の照明機能を具えた手袋において、懐中電灯の前端に凸レンズが設けられたことを特徴とする、照明機能を具えた手袋。
【請求項５】
請求項１記載の照明機能を具えた手袋において、ポケットがポケット部と帯部を具え、該ポケット部と該帯部が粘着帯で付着させられたことを特徴とする、照明機能を具えた手袋。
【請求項６】
請求項１記載の照明機能を具えた手袋において、ポケットがスライドファスナーで開閉自在とされたことを特徴とする、照明機能を具えた手袋。
【請求項７】
請求項１記載の照明機能を具えた手袋において、手袋が防水通気材質とされたことを特徴とする、照明機能を具えた手袋。
【請求項８】
掌部、手の甲部、手腕部及び複数の指部を具えた照明機能を具えた手袋において、手の甲部にポケットが設置され、該ポケット内に照明装置が着脱自在に取り付けられたことを特徴とする、照明機能を具えた手袋。
【請求項９】
請求項８記載の照明機能を具えた手袋において、ポケットが透明ポケットとされたことを特徴とする、照明機能を具えた手袋。
【請求項１０】
請求項８記載の照明機能を具えた手袋において、照明装置が懐中電灯とされたことを特徴とする、照明機能を具えた手袋。
【請求項１１】
請求項１０記載の照明機能を具えた手袋において、懐中電灯の前端に凸レンズが設けられたことを特徴とする、照明機能を具えた手袋。
【請求項１２】
請求項８記載の照明機能を具えた手袋において、ポケットがポケット部と帯部を具え、該ポケット部と該帯部が粘着帯で付着させられたことを特徴とする、照明機能を具えた手袋。
【請求項１３】
請求項８記載の照明機能を具えた手袋において、ポケットがスライドファスナーで開閉自在とされたことを特徴とする、照明機能を具えた手袋。
【請求項１４】
請求項８記載の照明機能を具えた手袋において、手袋が防水通気材質とされたことを特徴とする、照明機能を具えた手袋。
【請求項１５】
請求項８記載の照明機能を具えた手袋において、各指部に反射ストリップが設けられたことを特徴とする、照明機能を具えた手袋。
【請求項１６】
請求項８記載の照明機能を具えた手袋において、掌部に止滑部が設けられたことを特徴とする、照明機能を具えた手袋。
【請求項１７】
請求項８記載の照明機能を具えた手袋において、各指部に止滑部が設けられたことを特徴とする、照明機能を具えた手袋。
【請求項１８】
請求項８記載の照明機能を具えた手袋において、手腕部に長帯が設けられ、該長帯と該手腕部の間が粘着帯で付着されたことを特徴とする照明機能を具えた手袋。
【考案の詳細な説明】
【技術分野】
【０００１】
本考案は照明機能を具えた手袋に係り、特に、人指し指と手の甲にポケットが増設されて内部に懐中電灯が取り付けられ、使用者が暗いところで使用するときに光線を発生して照明を提供する手袋に関する。
【背景技術】
【０００２】
伝統的な手袋材質は皮革、布、毛質繊維等に偏り、保温と防湿、防風の特性を具え、オートバイのドライバー、警察官等が最も手袋を常用している。警察用手袋は通常、勤務に便利なように、ほとんどは綿材質の薄手袋を使用しているが、防風、防湿、或いは保温の用途を具備しない。また、警察官特に夜間勤務の警察官が夜に捜査或いは検問等の作業を行う時は懐中電灯或いは自動車用照明装置を利用するため、勤務時に非常に不便である。且つ検問時には指揮棒を握持して交通工具を指揮する必要があり、警察用手袋は更に止滑機能を具備する必要があり、業者に改善が求められている。
【考案の開示】
【考案が解決しようとする課題】
【０００３】
ゆえに、上述の警察用或いは保全用手袋の欠点を鑑み、本考案は照明機能を具えた手袋を提供し、それは防水、防風、保温、止滑、及び照明機能を一体に具え、合理的な設計の手袋であるものとする。
【０００４】
即ち、本考案の主要な目的は、警察官或いは一般使用者が暗いところで使用する時、照明装置の発射する光線を提供し、捜査或いは検問或いはデータ書き込み等の作業を行い易くする照明機能を具えた手袋を提供することにある。
【０００５】
本考案の次の目的は、照明装置の前端の照明ヘッドに凸レンズが設けられて、光線を拡大できる一種の照明機能を具えた手袋を提供することにある。
【０００６】
本考案の別の目的は、掌部及び手指部に止滑部が設けられて摩擦力が増され、物品の脱落を防止できる一種の照明機能を具えた手袋を提供することにある。
【０００７】
本考案の別の目的は、手腕部に長帯が設けられて緊締後に雨水の進入を防止できる一種の照明機能を具えた手袋を提供することにある。
【０００８】
上述の目的を達成するため、本考案は一種の照明機能を具えた手袋を提供し、それは、手袋の人指し指或いは手の甲にポケットが設けられ、ポケット内に照明装置が取り付けられ、警察官の執務中或いは使用者の使用時に、光線が暗いところで照明装置が発射する光線により身分証検査或いは違反キップ書き込み或いは資料書き込み等の作業を行わせる。この照明装置の前端には凸レンズが採用され、光線を拡大できる。手腕部には弾性粘着帯の長帯が設けられて緊締後に雨水の進入を防止する。本考案は照明装置により使用者が暗いところで使用する時に照明を提供する。該照明装置の前端に凸レンズが採用されて光線を拡大する。手袋の各指部分に反射ストリップが設けられ、掌と各指部分に止滑部が設けられ、物品の脱落を防止し、手腕部に弾性粘着帯が設けられて緊締後に雨水の進入を防止する。本考案の掌部と手指部には止滑部が嵌合されて摩擦力が増されて物品の脱落を防止する。
【課題を解決するための手段】
【０００９】
請求項１の考案は、掌部、手の甲部、手腕部及び複数の指部を具えた照明機能を具えた手袋において、少なくとも一つの指部にポケットが設置され、該ポケット内に照明装置が着脱自在に取り付けられたことを特徴とする、照明機能を具えた手袋としている。
請求項２の考案は、請求項１記載の照明機能を具えた手袋において、ポケットが透明ポケットとされたことを特徴とする、照明機能を具えた手袋としている。
請求項３の考案は、請求項１記載の照明機能を具えた手袋において、照明装置が懐中電灯とされたことを特徴とする、照明機能を具えた手袋としている。
請求項４の考案は、請求項３記載の照明機能を具えた手袋において、懐中電灯の前端に凸レンズが設けられたことを特徴とする、照明機能を具えた手袋としている。
請求項５の考案は、請求項１記載の照明機能を具えた手袋において、ポケットがポケット部と帯部を具え、該ポケット部と該帯部が粘着帯で付着させられたことを特徴とする、照明機能を具えた手袋としている。
請求項６の考案は、請求項１記載の照明機能を具えた手袋において、ポケットがスライドファスナーで開閉自在とされたことを特徴とする、照明機能を具えた手袋としている。
請求項７の考案は、請求項１記載の照明機能を具えた手袋において、手袋が防水通気材質とされたことを特徴とする、照明機能を具えた手袋としている。
請求項８の考案は、掌部、手の甲部、手腕部及び複数の指部を具えた照明機能を具えた手袋において、手の甲部にポケットが設置され、該ポケット内に照明装置が着脱自在に取り付けられたことを特徴とする、照明機能を具えた手袋としている。
請求項９の考案は、請求項８記載の照明機能を具えた手袋において、ポケットが透明ポケットとされたことを特徴とする、照明機能を具えた手袋としている。
請求項１０の考案は、請求項８記載の照明機能を具えた手袋において、照明装置が懐中電灯とされたことを特徴とする、照明機能を具えた手袋としている。
請求項１１の考案は、請求項１０記載の照明機能を具えた手袋において、懐中電灯の前端に凸レンズが設けられたことを特徴とする、照明機能を具えた手袋としている。
請求項１２の考案は、請求項８記載の照明機能を具えた手袋において、ポケットがポケット部と帯部を具え、該ポケット部と該帯部が粘着帯で付着させられたことを特徴とする、照明機能を具えた手袋としている。
請求項１３の考案は、請求項８記載の照明機能を具えた手袋において、ポケットがスライドファスナーで開閉自在とされたことを特徴とする、照明機能を具えた手袋としている。
請求項１４の考案は、請求項８記載の照明機能を具えた手袋において、手袋が防水通気材質とされたことを特徴とする、照明機能を具えた手袋としている。
請求項１５の考案は、請求項８記載の照明機能を具えた手袋において、各指部に反射ストリップが設けられたことを特徴とする、照明機能を具えた手袋としている。
請求項１６の考案は、請求項８記載の照明機能を具えた手袋において、掌部に止滑部が設けられたことを特徴とする、照明機能を具えた手袋としている。
請求項１７の考案は、請求項８記載の照明機能を具えた手袋において、各指部に止滑部が設けられたことを特徴とする、照明機能を具えた手袋としている。
請求項１８の考案は、請求項８記載の照明機能を具えた手袋において、手腕部に長帯が設けられ、該長帯と該手腕部の間が粘着帯で付着されたことを特徴とする照明機能を具えた手袋としている。
【考案の効果】
【００１０】
本考案の手袋は人指し指にポケットが増設されて照明装置を収容でき、光線が暗いところで使用する際に照明を提供でき、且つ手袋の背部に反射ストリップが設けられて使用者に夜間標識効果を提供する。
【００１１】
ゆえに本考案は従来の技術とは異なる設計を有し、全体の使用価値が高められ、またその構造は未公開であり、実用新案登録の要件を具備している。
【考案を実施するための最良の形態】
【００１２】
図１は本考案の手袋の立体図である。本考案の手袋は、掌部１０、手の甲部２０、手腕部３０、及び複数の指部４０を包含する。該掌部１０は第１端１１と第２端１２を具え、手の甲部２０は第１端２１と第２端２２を具え、該手腕部３０は掌部１０と手の甲部２０の第２端１２、２２に接続されて保護手袋を形成している。複数の指部４０はそれぞれ掌部１０と手の甲部２０の第１端１１、２１に接続され、該指部４０にポケット５０が設置され、該ポケット５０内に照明装置６０を取り付けることができる。
【００１３】
本考案の照明機能を具えた手袋は、掌部１０、手の甲部２０、手腕部３０、指部４０が一体成形されてなる。本考案の特徴は、指部４０にポケット５０が設置され、該ポケット５０内に照明装置６０を取り付けられることにある。
【００１４】
好ましくは、該指部４０は人指し指４１とされ、即ち該ポケット５０は人指し指４１に設けられる。便利さのために、当然他の指或いは手の甲部２０に設置することも可能である。照明装置６０をポケット５０に収容するのに便利なように、該ポケット５０は透明透光のポケット５０とされ、ウインドウのように取り付け状態を確認できるものとされる。一般に小型ＬＥＤ懐中電灯を照明装置６０として使用し、並びにポケット５０内に収容する。ゆえにポケット５０の前端、即ち人指し指前端と同じ方向に、透明部分が設けられて懐中電灯の光線を射出できるものとされる。これにより警察官が執務中、光線が暗いところで懐中電灯の光により他人の身分証を確認するか或いは違反切符を切る等の作業を行うことができる。
【００１５】
図２、３を共に参照されたい。図２は本考案の第１実施例表示図及びその断面図である。該ポケット５０はスライドファスナー５１を具えて開閉でき、ポケット５０のスライドファスナー５１を開く時、小型ＬＥＤ懐中電灯を取り付けることができ、更にスライドファスナー５１を閉じる。懐中電灯の電池が切れて照明不能になった時は、スライドファスナー５１を開けて懐中電灯を取り出し、電池交換後に再びポケット５０中に取り付けて、スライドファスナー５１を閉じればよい。
【００１６】
図４、５は本考案の第２実施例表示図及び断面図である。該ポケット５０はポケット部５２と帯部５３を具え、該ポケット部５２の開口部分に該帯部５３が設けられ、ポケット部５２と該帯部５３は粘着帯５４等の方式で付着される。これにより該帯部５３が開かれて小型ＬＥＤ懐中電灯が取り付けられた後、更に帯部５３をポケット部５２に粘着させて閉じることができる。懐中電灯の電力がなくなり照明不能となった時は、該帯部５３を開き、懐中電灯を取り出して電池交換した後に、再びポケット部５２中に収容し、更に帯部５３を粘着させて開口部分を閉じればよい。
【００１７】
図６は本考案の手袋の掌部の表示図である。本考案の手袋は防水通気材質とされ、警察官による使用に便利であり、通気性を有しまた雨の日に濡れるのを防止できる。また、夜間に使用する時、各指部４０に手の甲部２０まで延伸された反射ストリップ４２が設けられているため、警察官或いは使用者の標識を提供できる。該掌部１０には止滑部１３が設けられ、使用者が物品を握持する時、滑り落とすのを防止できる。好ましくは、各指部４０にも止滑部１４が設けられ、それは掌部１０と同面とされ、これにより使用者が物品を握持する時の滑り落ちを更に防止できる。また、手腕部３０に長帯３１が設けられ、該長帯３１と手腕部３０間は粘着帯３２により付着され、これにより手腕部３０を緊締して雨水の進入を防止できる。
【００１８】
図７、８、９は本考案の照明装置の立体図及び前端の照明ヘッド表示図とその断面図である。該照明装置６０は懐中電灯とされ、該懐中電灯は小型ＬＥＤ懐中電灯とされ、その筒体側端に押圧スイッチ６１が設けられ、該懐中電灯前端の照明ヘッド６２に凸レンズ６３が設けられて光線を拡大できるものとされている。
【図面の簡単な説明】
【００１９】
【図１】本考案の手袋の立体図である。
【図２】本考案の手袋のポケットの第１実施例表示図である。
【図３】本考案の手袋のポケットの第１実施例断面図である。
【図４】本考案の手袋のポケットの第２実施例表示図である。
【図５】本考案の手袋のポケットの第２実施例断面図である。
【図６】本考案の手袋の掌部の表示図である。
【図７】本考案の照明装置の立体図である。
【図８】本考案の照明装置の前端の照明ヘッド表示図である。
【図９】本考案の照明装置の前端の照明ヘッドの断面図である。
【符号の説明】
【００２０】
１０  掌部
１１  第１端
１２  第２端
１３  止滑部
１４  止滑部
２０  手の甲部
２１  第１端
２２  第２端
３０  手腕部
３１  長帯
３２  粘着帯
４０  指部
４１  人指し指
４２  反射ストリップ
５０  ポケット
５１  スライドファスナー
５２  ポケット部
５３  帯部
５４  粘着帯
６０  照明装置
６１  押圧スイッチ
６２  照明ヘッド
６３  凸レンズ
【図１】
0003114125.tif 000003
【図２】
0003114125.tif 000004
【図３】
0003114125.tif 000005
【図４】
0003114125.tif 000006
【図５】
0003114125.tif 000007
【図６】
0003114125.tif 000008
【図７】
0003114125.tif 000009
【図８】
0003114125.tif 000010
【図９】
0003114125.tif 000011